【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
機器の所定の設定パラメータを検知する機器運転検知部と、
前記機器運転検知部が前記機器の所定の設定パラメータの変更を検知するとその所定の設定パラメータに応じて発電機へ制御信号を出力する発電機制御部とを備える、発電機制御システム。
【請求項２】
前記発電機の発電力を計測する発電力計測部と、
前記機器の消費電力を計測する機器消費電力計測部と、
前記発電力計測部から得る前記発電機の発電力の増加量に、前記機器消費電力計測部から得る前記機器の消費電力の増加量が対応するように、前記機器の前記所定の設定パラメータの値にかかわらず前記機器を制御する機器運転制御部とを備える、請求項１記載の発電機制御システム。
【請求項３】
前記機器の所定の設定パラメータの変更には、停止状態から稼働状態への変更も含む、請求項２記載の発電機制御システム。
【請求項４】
前記発電機制御部は、予め保持している前記機器の所定の設定パラメータと前記機器の消費電力との関係を示すデータに基づき前記発電機へ制御信号を出力する、請求項２記載の発電機制御システム。
【請求項５】
発電機の発電力を計測する発電力計測部と、
少なくとも、前記機器の前記所定の設定パラメータから、前記機器の消費電力を予測計算する機器消費電力予測部と、
前記発電力計測部から得る前記発電機の発電力の増加量に、前記機器の消費電力の増加量が対応するように、前記機器消費電力予測部から得られる前記機器の予測消費電力を利用して、前記機器の設定パラメータの値にかかわらず前記機器を制御する機器運転制御部とを備え、
前記発電機制御部は、前記機器運転検知部が前記機器の設定パラメータの変更を検知すると、その変更された設定パラメータに対応する前記消費電力予測部で計算された前記機器の消費電力に応じて、前記発電機へ制御信号を出力する、請求項１記載の発電機制御システム。
【請求項６】
前記機器の設定状態の変更には、停止状態から稼働状態への変更も含む、請求項５記載の発電機制御システム。
【請求項７】
前記発電機制御部は、予め保持している、前記機器の所定の設定パラメータと前記機器の予測消費電力との関係を示すデータに基づき、前記発電機へ制御信号を出力する、請求項５記載の発電機制御システム。
【請求項８】
前記機器が稼動する環境の環境情報を計測する環境計測部をさらに備え、前記機器消費電力予測部は、前記機器の所定の設定パラメータと前記環境計測部から得る前記環境情報とに基づいて、前記機器の消費電力を予測計算する、請求項５記載の発電機制御システム。
【請求項９】
前記機器が稼動する環境の環境情報を計測する環境計測部と、
前記機器の消費電力を計測する機器消費電力計測部とを備え、
前記機器消費電力予測部は、前記機器消費電力計測部、前記環境計測部及び、前記機器運転制御部から情報を集め、自ら行う消費電力予測モデルの修正を随時行う、請求項５記載の発電機制御システム。
【請求項１０】
前記機器運転制御部は、前記機器消費電力計測部で計測された消費電力に比べて、前記発電機の発電力に余力がある場合、前記発電力計測部から得る前記発電機の発電力の増加量に、前記機器の消費電力の増加量が対応するように、前記機器消費電力予測部から得られた前記機器の消費電力を利用して、前記機器の設定パラメータを無視して、前記機器を制御する、請求項９記載の発電機制御システム。
【請求項１１】
前記機器運転制御部は、前記発電力計測部から得る前記発電機の発電力が定格値を超えた場合に、前記機器の消費電力を下げる制御を行う、請求項２または５記載の発電機制御システム。
【請求項１２】
前記機器運転制御部は、前記機器が複数ある場合に、前記機器の消費電力を下げる優先順位を保持し、前記優先順位に従って前記機器の消費電力を下げる制御を行う、請求項２または５記載の発電機制御システム。
【請求項１３】
前記機器の消費電力を下げる優先順位を利用者が設定する優先順位設定部を備える、請求項１２記載の発電機制御システム。
【請求項１４】
前記機器運転制御部が前記機器の制御を行うか否かを選択あるいは解除する機器制御選択部を備える、請求項２または５記載の発電機制御システム。
【請求項１５】
前記機器運転制御部が制御する機器と、前記機器消費電力計測部または前記機器消費電力予測部から得る前記機器の消費電力と、前記発電力計測部から得る前記発電機の発電力とを表示する電力情報表示部を備える、請求項２または５記載の発電機制御システム。
【請求項１６】
前記機器とは家庭用エアコンであり、前記機器制御運転制御部は、前記家庭用エアコンの設定温度、風量、空気清浄機能の少なくとも１つを複数回制御する、請求項２または５記載の発電機制御システム。
【請求項１７】
前記機器とは照度調整機能を持つ照明である、請求項２または５記載の発電機制御システム。
【請求項１８】
請求項２記載の発電機制御システムの、前記発電力計測部から得る前記発電機の発電力の増加量に、前記機器消費電力計測部から得る前記機器の消費電力の増加量が対応するように、前記機器の前記所定の設定パラメータの値にかかわらず前記機器を制御する機器運転制御部としてコンピュータを機能させるためのプログラム。
【請求項１９】
請求項５記載の発電機制御システムの、少なくとも、前記機器の前記所定の設定パラメータから、前記機器の消費電力を予測計算する機器消費電力予測部と、
前記発電力計測部から得る前記発電機の発電力の増加量に、前記機器の消費電力の増加量が対応するように、前記機器消費電力予測部から得られる前記機器の予測消費電力を利用して、前記機器の設定パラメータの値にかかわらず前記機器を制御する機器運転制御部としてコンピュータを機能させるためのプログラム。
【請求項２０】
請求項１８または１９に記載のプログラムを記録した記録媒体であって、コンピュータにより処理可能な記録媒体。
【請求項２１】
機器の所定の設定パラメータを検知する機器運転検知ステップと、
機器運転検知部が前記機器の所定の設定パラメータの変更を検知するとその所定の設定パラメータに応じて発電機へ制御信号を出力する発電機制御ステップとを備える、発電機制御方法。
【請求項２２】
前記発電機の発電力を計測する発電力計測ステップと、
前記機器の消費電力を計測する機器消費電力計測ステップと、
前記発電力計測ステップから得る前記発電機の発電力の増加量に、前記機器消費電力計測ステップから得る前記機器の消費電力の増加量が対応するように、前記機器の前記所定の設定パラメータの値にかかわらず前記機器を制御する機器運転制御ステップとを備える、請求項２１記載の発電機制御方法。
【請求項２３】
前記発電機の発電力を計測する発電力計測ステップと、
少なくとも、前記機器の前記所定の設定パラメータから、前記機器の消費電力を予測計算する機器消費電力予測ステップと、
前記発電力計測ステップから得る前記発電機の発電力の増加量に、前記機器の消費電力の増加量が対応するように、前記機器消費電力予測ステップから得られる前記機器の予測消費電力を利用して、前記機器の設定パラメータの値にかかわらず前記機器を制御する機器運転制御ステップとを備え、
前記発電機制御ステップは、前記機器運転検知ステップにおいて前記機器の設定パラメータの変更を検知すると、その変更された設定パラメータに対応する前記消費電力予測ステップで計算された前記機器の消費電力に応じて、前記発電機へ制御信号を出力する、請求項２１記載の発電機制御方法。
【手続補正２】
【補正対象書類名】明細書
【補正対象項目名】００１１
【補正方法】変更
【補正の内容】
【００１１】
上述した課題を解決するために、第１の本発明は、
前記機器の所定の設定パラメータを検知する機器運転検知部と、
機器運転検知部が前記機器の所定の設定パラメータの変更を検知するとその所定の設定パラメータに応じて発電機へ制御信号を出力する発電機制御部とを備える、発電機制御システムである。
【手続補正３】
【補正対象書類名】明細書
【補正対象項目名】００１２
【補正方法】変更
【補正の内容】
【００１２】
また、第２の本発明は、
前記発電機の発電力を計測する発電力計測部と、
前記機器の消費電力を計測する機器消費電力計測部と、
前記発電力計測部から得る前記発電機の発電力の増加量に、前記機器消費電力計測部から得る前記機器の消費電力の増加量が対応するように、前記機器の前記所定の設定パラメータの値にかかわらず前記機器を制御する機器運転制御部とを備える、第１の本発明の発電機制御システムである。
【手続補正４】
【補正対象書類名】明細書
【補正対象項目名】００１５
【補正方法】変更
【補正の内容】
【００１５】
また、第５の本発明は、
発電機の発電力を計測する発電力計測部と、
少なくとも、前記機器の前記所定の設定パラメータから、前記機器の消費電力を予測計算する機器消費電力予測部と、
前記発電力計測部から得る前記発電機の発電力の増加量に、前記機器の消費電力の増加量が対応するように、前記機器消費電力予測部から得られる前記機器の予測消費電力を利用して、前記機器の設定パラメータの値にかかわらず前記機器を制御する機器運転制御部とを備え、
前記発電機制御部は、前記機器運転検知部が前記機器の設定パラメータの変更を検知すると、その変更された設定パラメータに対応する前記消費電力予測部で計算された前記機器の消費電力に応じて、前記発電機へ制御信号を出力する、第１の本発明の発電機制御システムである。
【手続補正５】
【補正対象書類名】明細書
【補正対象項目名】００２０
【補正方法】変更
【補正の内容】
【００２０】
また、第１０の本発明は、
前記機器運転制御部は、前記機器消費電力計測部で計測された消費電力に比べて、前記発電機の発電力に余力がある場合、前記発電力計測部から得る前記発電機の発電力の増加量に、前記機器の消費電力の増加量が対応するように、前記機器消費電力予測部から得られた前記機器の消費電力を利用して、前記機器の設定パラメータを無視して、前記機器を制御する、第９の本発明の発電機制御システムである。
【手続補正６】
【補正対象書類名】明細書
【補正対象項目名】００２８
【補正方法】変更
【補正の内容】
【００２８】
また、第１８の本発明は、
第２の本発明の発電機制御システムの、前記発電力計測部から得る前記発電機の発電力の増加量に、前記機器消費電力計測部から得る前記機器の消費電力の増加量が対応するように、前記機器の前記所定の設定パラメータの値にかかわらず前記機器を制御する機器運転制御部としてコンピュータを機能させるためのプログラムである。
【手続補正７】
【補正対象書類名】明細書
【補正対象項目名】００２９
【補正方法】変更
【補正の内容】
【００２９】
また、第１９の本発明は、
第５の本発明の発電機制御システムの、少なくとも、前記機器の前記所定の設定パラメータから、前記機器の消費電力を予測計算する機器消費電力予測部と、
前記発電力計測部から得る前記発電機の発電力の増加量に、前記機器の消費電力の増加量が対応するように、前記機器消費電力予測部から得られる前記機器の予測消費電力を利用して、前記機器の設定パラメータの値にかかわらず前記機器を制御する機器運転制御部としてコンピュータを機能させるためのプログラムである。
【手続補正８】
【補正対象書類名】明細書
【補正対象項目名】００３２
【補正方法】変更
【補正の内容】
【００３２】
また、第２２の本発明は、
前記発電機の発電力を計測する発電力計測ステップと、
前記機器の消費電力を計測する機器消費電力計測ステップと、
前記発電力計測ステップから得る前記発電機の発電力の増加量に、前記機器消費電力計測ステップから得る前記機器の消費電力の増加量が対応するように、前記機器の前記所定の設定パラメータの値にかかわらず前記機器を制御する機器運転制御ステップとを備える、第２１の本発明の発電機制御方法である。
【手続補正９】
【補正対象書類名】明細書
【補正対象項目名】００３３
【補正方法】変更
【補正の内容】
【００３３】
また、第２３の本発明は、
発電機の発電力を計測する発電力計測ステップと、
少なくとも、前記機器の前記所定の設定パラメータから、前記機器の消費電力を予測計算する機器消費電力予測ステップと、
前記発電力計測ステップから得る前記発電機の発電力の増加量に、前記機器の消費電力の増加量が対応するように、前記機器消費電力予測ステップから得られる前記機器の予測消費電力を利用して、前記機器の設定パラメータの値にかかわらず前記機器を制御する機器運転制御ステップとを備え、
前記発電機制御ステップは、前記機器運転検知ステップにおいて前記機器の設定パラメータの変更を検知すると、その変更された設定パラメータに対応する前記消費電力予測ステップで計算された前記機器の消費電力に応じて、前記発電機へ制御信号を出力する、第２１の本発明の発電機制御方法である。